(57)【要約】【課題】バッグ内へ入れることによってバッグ内の被収容物の整理が同時にでき、バッグを変える時に日常的携帯物である被収容物をまとめて移し替えることができるバッグ内の板状収容部材を提供する。【解決手段】バッグ内に入れて使用する板状収容部材であって、板状本体と、この板状本体の板面にあってバッグ内の被収容物を収容することのできる収容部とからなり、かつバッグ内から他のバッグ内に移し換えて使用できることを特徴とするバッグ内の板状収容部材。【選択図】　　　　図１
0003098443.tif 000002
【実用新案登録請求の範囲】
【請求項１】
バッグ内に入れて使用する板状収容部材であって、板状本体と、この板状本体の板面にあってバッグ内の被収容物を収容することのできる収容部とからなり、かつバッグ内から他のバッグ内に移し換えて使用できることを特徴とするバッグ内の板状収容部材。
【請求項２】
板状本体が、板状芯材を布地で覆って構成したものであることを特徴とする請求項１記載のバッグ内の板状収容部材。
【請求項３】
収容部が、板状本体の布地板面に布地片を縫いつけて袋状ポケット、筒状ホルダーなどに構成したものであることを特徴とする請求項２記載のバッグ内の板状収容部材。
【考案の詳細な説明】
【０００１】
【考案の属する技術分野】
この考案は、バッグ内に入れてバッグ内の被収容物を収容して整理するのに使用されるバッグ内の板状収容部材に関するものである。
【０００２】
【従来の技術】
従来のこの種のバッグ内の板状収容部材を、図５〜図７に示す例えば特開２００２−２３８６４２号公報に示されるバッグの間仕切りを用いて説明する。図５はバッグを横断面として示す平面図、図６は図５の間仕切りの前面を示す図、図７は図５の間仕切りの後面を示す図である。
【０００３】
この間仕切り１は、全体として角形の平板状の袋であって、その上辺にファスナー２を備えることによって内部の収容スペースに上方から薄肉物の出し入れを可能にし、またその前面、後面の一方を硬質板状に形成して前面には上方から物を出し入れできる網３を設けると共に後面の上部には伸縮自在なバンド４を固定してバンド４の長手方向の適宜箇所を後面に固定してペンなどの挿入部５としかつ各挿入部５に差したペンなどをバンド４の伸縮性によって保持できるようにしてある。
【０００４】
こうしてなる間仕切り１は、バッグ本体６の内部前面の左右端部にある柔軟な帯状の連結材７により、それぞれの先端部上下にあるスナップ式止め具８を用いて、バッグ本体６の内部に着脱可能に取り付けられている。なお、図中９はバッグ本体６の持ち手である。
【０００５】
【考案が解決しようとする課題】
以上のように、従来のものはバッグ本体６内に取り付ける間仕切り１として作られているので、あくまでもバッグの内部を仕切って被収容物を整理して収容することを目的としている。そのために、間仕切り１がバッグ内で動かないように専用のスナップ式止め具８を用いて連結材７で止める必要があるし、バッグを変える時にこの間仕切り１を他のバッグにも使用したくても他のバッグに同じ連結材７及びスナップ式止め具８がないとこの間仕切り１が使えないので被収容物を間仕切り１から外して一個一個他のバッグに移し換えなければならず使い勝手の悪いものである。
【０００６】
【課題を解決するための手段】
これに対して、この考案のものはバッグ内に入れて使用する板状収容部材であるので、前記した従来のもののようにバッグ内で止める必要がないし、被収容物を収容するものとして被収容物を収容したままの状態でバッグから他のバッグへと簡単に出し入れして移し換えできるようになる。よって、これをバッグ内へ入れることによってバッグ内の被収容物の整理が同時にできるし、バッグを変える時に日常的携帯物である被収容物をこれの移し換えと共にまとめて移し換えできるという利便性及び汎用性とが得られる。
【０００７】
【考案の実施の形態】
実施の形態１．
この考案の一実施の形態を図１〜図３を用いて説明する。図１は板状収容部材の前面を示す図、図２は板状収容部材の後面を示す図、図３は板状収容部材をバッグ内に入れた状態を示す図である。
【０００８】
図において、１０は比較的硬い厚紙や柔軟性のある樹脂板などを板状芯材としてこれを布地で覆って構成した角形の板状本体、１１は板状本体１０の前面に設けた各種の収容部で、例えば１１ａは板状本体１０の布地板面に布地片を縫いつけて縦長袋状ポケットに構成したもので携帯電話１２やキーケース１３を入れるもの、１１ｂは板状本体１０の布地板面に布地片を縫いつけて横長袋状ポケットに構成したものでメガネ１４（あるいは財布など）を入れるもの、１１ｃは板状本体１０の布地板面に布地片を筒状に縫いつけて筒状ホルダーに構成したものでシャープペン１５やボールペン１６を入れるもの、１１ｄは板状本体１０の布地板面に布地片を縫いつけて袋状ポケットに構成したものでタバコ１７（あるいは手帳・名刺入れなど）を入れるものである。１８は板状本体１０の後面に設けた収容部で、板状本体１０の布地板面に大きな布地片を縫いつけて横長袋状ポケットに構成したもので例えば化粧ポーチ１９を入れるものである。
【０００９】
こうしてなる板状収容部材（図１、図２に示すもの）は、図３に示すようにバッグ２０内に入れて使用するもので、全てが布地構成であるのでバッグ２０内にあっても感触が良くバッグ２０内での違和感はないし、そうしてその各収容部１１，１８にそれぞれ日常的携帯物を図示のように入れておけば、これらのバッグ２０内での整理整頓ができるし、この板状収容部材がバッグ２０内を仕切ることにもなってバッグ２０内にバラ入れする他の被収容物を入れ易くする。
【００１０】
そして、日常的にバッグ２０を持ち替えるときには、持ち替える他のバッグ（図示せず）内にこの板状収容部材（図１、図２に示すもの）を各収容部１１，１８に日常的携帯物を図示のように収容したままでバッグ２０内から取り出しそのまま他のバッグ内に入れて移し換えて簡単に使用できる。そのために、バッグを持ち替えたことによる日常的携帯物の忘れ物が皆無となる。
【００１１】
その際に、角形の板状本体１０の下側の両角に図示するように少し丸み２１を付けておくと、バッグ２０内への出し入れがし易くなる。また、板状本体１０は角形であれば良く、そのサイズもＢ５，Ａ４，Ｂ４のようにバッグの大きさに適応するものであれば良い。さらに、板状本体１０にある各収容部１１，１８の形状、構成は図示のものに限定されるものではない。
【００１２】
実施の形態２．
上記実施の形態１では板状本体１０として角形のものを示したが、その形状は限定されるものではなく、例えば図４に示すように底辺の両側に大きな丸みのあるバッグ２２用として、底辺の両側に大きな丸み２３を有する板状本体１０Ａとしても良く、その作用・効果は上記した実施の形態１の板状本体１０と同様に得られるものである。
【００１３】
このように底辺の両側に大きな丸み２３を有する板状本体１０Ａを使用すると、バッグ２２内への出し入れが一層容易になるし、バッグ２２内での収まりが良くなるので、バッグの形状の変化に適応し易くなって汎用性がさらに大きくなる。
【００１４】
【考案の効果】
以上のように、この考案の板状収容部材によれば従来のもののようにバッグ内で止める必要がないし、被収容物を収容するものとして被収容物を収容したままの状態でバッグから他のバッグへと簡単に出し入れして移し換えできるようになるので、これをバッグ内へ入れることによってバッグ内の被収容物の整理が同時にできるし、バッグを変える時に日常的携帯物である被収容物をこれの移し換えと共にまとめて移し換えできるという利便性及び汎用性とが得られる。
【図面の簡単な説明】
【図１】この考案の実施の形態１を示すもので、板状収容部材の前面を示す図である。
【図２】図１の板状収容部材の後面を示す図である。
【図３】図１の板状収容部材をバッグ内に入れた状態を示す図である。
【図４】この考案の実施の形態２を示す図３と同じ図である。
【図５】従来のもので、バッグを横断面として示す平面図である。
【図６】図５の間仕切りの前面を示す図である。
【図７】図５の間仕切りの後面を示す図である。
【符号の説明】
１０　　板状本体
１０Ａ　底辺の両側に大きな丸みのある板状本体
１１　　収容部
１２　　携帯電話
１３　　キーケース
１４　　メガネ
１５　　シャープペン
１６　　ボールペン
１７　　タバコ
１８　　収容部
１９　　化粧ポーチ
２０　　角形のバッグ
２１　　丸み
２２　　底辺の両側に大きな丸みのあるバッグ
２３　　大きな丸み
【図１】
0003098443.tif 000003
【図２】
0003098443.tif 000004
【図３】
0003098443.tif 000005
【図４】
0003098443.tif 000006
【図５】
0003098443.tif 000007
【図６】
0003098443.tif 000008
【図７】
0003098443.tif 000009